(57)【要約】【課題】平面らせん形蛍光ランプ用いた照明器具であって、一層の小型化を図ることができる照明器具を提供する。【解決手段】両端に口金２２を有する平面らせん形の蛍光ランプ２０を用いることにより、同じ長さの発光管２１を有する環状の蛍光灯に比して蛍光ランプの小型化を図ることができる。さらに、ランプソケット１７を略直方体のインバータ１６を覆うインバータケース１３の長手方向端部に配置することにより、インバータケース１３の小型化を図るので、照明器具１０の小型化を図ることができる。【選択図】図１
2010123537.tif 000002
【特許請求の範囲】
【請求項１】
管中央部を中心として略一平面において渦巻状に旋回する発光管と、前記発光管の両端部にそれぞれ設けられた一対の口金と、前記口金から前記発光管に平行に設けられた一対のランプピンと、を有する蛍光ランプと、
前記ランプピンと電気的に接続されて電力を供給する一対のランプソケットと、
前記ランプソケットに電力を供給する略直方体のインバータと、
前記インバータを覆うインバータケースと、を有し、
前記一対のランプソケットを、前記インバータケースの長手方向端部に配置したことを特徴とする照明器具。
【請求項２】
前記一対のランプソケットを、前記インバータケースの角部に配置したことを特徴とする請求項１記載の照明器具。
【発明の詳細な説明】
【技術分野】
【０００１】
本発明は、平面らせん形状の蛍光ランプを有する照明器具に関するものである。
【背景技術】
【０００２】
従来より、管中央部を中心として略一平面において渦巻状に旋回した平面らせん形の蛍光ランプを用いた照明器具が知られている（例えば特許文献１参照）。
図５に示すように、特許文献１に記載の照明器具１００は、円形箱型に形成される器具本体１０１と、器具本体１の外面に形成される平坦な反射面１０２に装着される平面らせん形の蛍光ランプ１０３と、この蛍光ランプ１０３と器具本体１０１を覆い光透過性のカバー１０４とを有している。
【０００３】
器具本体１０１は天井等の被取付部に取り付けられるものであり、一面側の開口した本体ケース１０５の開口部分を、平板状のベースプレート１０６で覆っており、本体ケース１０５の底壁外面は、反射面１０２となっている。ベースプレート１０６には点灯装置として直方体形状のインバータ（図示省略）が取り付けられており、本体ケース１０６の内部に収容されている。本体ケース１０５の底壁外面（反射面１０２）には、平面らせん形の蛍光ランプ１０３を取り付けて電力を供給する一対のランプソケット１０７が取り付けられており、本体ケース１０５内部のインバータに接続されている。
【特許文献１】特開２００８−２０４７３６号公報（第１図）
【発明の開示】
【発明が解決しようとする課題】
【０００４】
しかしながら、前述したような特許文献１に記載の照明器具においては、平面らせん形の蛍光ランプを用いた場合の小型化があまり考慮されていないため、一層の小型化が望まれている。
【０００５】
本発明は、従来の問題を解決するためになされたもので、平面らせん形の蛍光ランプ用いた照明器具であって、一層の小型化を図ることができる照明器具を提供することを目的とする。
【課題を解決するための手段】
【０００６】
本発明の照明器具は、管中央部を中心として略一平面において渦巻状に旋回する発光管と、前記発光管の両端部にそれぞれ設けられた一対の口金と、前記口金から前記発光管に平行に設けられた一対のランプピンと、を有する蛍光ランプと、前記ランプピンと電気的に接続されて電力を供給する一対のランプソケットと、前記ランプソケットに電力を供給する略直方体のインバータと、前記インバータを覆うインバータケースと、を有し、前記一対のランプソケットを、前記インバータケースの長手方向端部に配置した構成を有している。
【０００７】
この構成により、両端に口金を有する平面らせん形の蛍光ランプを用いることにより、同じ長さの発光管を有する環状の蛍光灯に比して蛍光ランプの小型化を図るとともに、ランプソケットを略直方体のインバータを覆うインバータケースの長手方向端部に配置することにより、インバータケースの小型化を図るので、照明器具の小型化を図ることができる。
【０００８】
また、本発明の照明器具は、前記一対のランプソケットを、前記インバータケースの角部に配置した構成を有している。
【０００９】
この構成により、ランプソケットをインバータケースの長手方向端部における角部に配置したので、インバータケースをさらに小型化することができ、照明器具をさらに小型化することができる。
【発明の効果】
【００１０】
本発明は、両端に口金を有する平面らせん形の蛍光ランプを用いることにより、同じ長さの発光管を有する環状の蛍光灯に比して蛍光ランプの小型化を図るとともに、ランプソケットを略直方体のインバータを覆うインバータケースの角部に配置することにより、インバータケースの小型化を図ることができるので、照明器具の小型化を図ることができるという効果を有する照明器具を提供することができるものである。
【発明を実施するための最良の形態】
【００１１】
以下、本発明の実施の形態の照明器具について、図面を用いて説明する。
図１は本発明の第１実施形態にかかる照明器具の斜視図、図２（ａ）は蛍光灯の平面図、図２（ｂ）は蛍光ランプの側面図、図３はランプソケットの斜視図、図４はインバータの斜視図である。
【００１２】
図１に示すように、本発明にかかる照明器具１０は、被取付部としての例えば天井１１に取り付けられる円板状のベースプレート１２と、このベースプレート１２の下面１２１に取り付けられるインバータケース１３とで器具本体１４を構成し、器具本体１４に平面らせん形蛍光ランプ（以後、「蛍光ランプ」という。）２０が装着される。ベースプレート１２の下面１２１にはインバータ１６が取り付けられており、インバータ１６はインバータケース１３により覆われている。ベースプレート１２には、インバータケース１２および平面らせん形蛍光ランプ２０を内包する透明または半透明の樹脂性の透過カバー１５が着脱可能に取り付けられる。
【００１３】
図１に示すように、インバータ１６を覆うインバータケース１３は、例えば、板金加工により底板１３１と一対の側板１３２とから全体コ字状に形成されており、底板１３１の下面は例えば白く塗装されて、蛍光ランプ２０の光を前方（照明方向）へ反射させる反射板を兼ねている。
【００１４】
底板１３１の下面には一対のランプソケット１７、１７が設けられており、それぞれインバータ１６の後述する電力供給端子１６３、１６３に接続されている。底板１３１の下面におけるランプソケット１７の近傍には、口金２２を保持して蛍光ランプ２０を仮固定するための一対のランプ保持バネ１８、１８が設けられている。
【００１５】
図４に示すように、インバータ１６は、ベースプレート１２の下面１２１に取り付けられる例えば断面コ字状の底板１６１と、断面コ字状の上板１６２とを組み合わせて、全体直方体形状を呈している。底板１６１の上面における長手方向両端部には、ランプソケット１７と接続されて蛍光ランプ２０に電力を供給する一対の電力供給端子１６３が、それぞれ露出して設けられている。
【００１６】
従って、インバータケース１３は、インバータ１６を内包するために、少なくともインバータ１６の長手方向長さよりも長めの長さを有する。インバータケース１３の幅方向寸法は、インバータ１６に合わせて幅狭にすることができるが、インバータケース１３の下面１３１の反射板としての機能を果たすことができる幅は確保する。
【００１７】
インバータケース１３の下面１３１には、蛍光ランプ２０の両口金２２、２２の端面に対向する位置に一対のランプソケット１７、１７が設けられるが、ランプソケット１７、１７が下面１３１の長手方向端部に位置するようにする。このとき、ランプソケット１７、１７を下面１３１の角部に配置するのが一層望ましい。
【００１８】
図２に示すように、蛍光ランプ２０は、一連の屈曲ガラス管からなる発光管２１が、管中央部２１１を中心として略一平面上で渦巻状に旋回された二重渦巻き形状となっている。発光管２１の両端部には口金２２が設けられており、口金２２には上下一対のランプピン２３，２３が、突出して設けられている。このランプピン２３をランプソケット１７に装着することにより、駆動電力を得ることができる。
【００１９】
両口金２２、２２間には、発光管２１を保持するブリッジ２４が設けられている。ブリッジ２４は、口金２２の近傍を把持する円環状の把持部２４１と、両把持部２４１を連結するブリッジ本体２４２を有している。
【００２０】
このような平面らせん形の蛍光ランプ２０は面状に発光するので、一重あるいは二重の環状の蛍光ランプと比較して中央部まで一様な光を得ることができる。また、同じ長さの発光管を有する環状の蛍光ランプと比較して、小型化を図ることができる。
【００２１】
図３に示すように、蛍光ランプ２０のランプピン２３が保持されるランプソケット１７は全体円板形状を呈しており、円形の側面１７１が蛍光ランプ２０の口金２２の先端面と対向するように、ランプソケット１７をインバータケース１３の下面１３１に取り付ける。ランプソケット１７の側面１７１側には、外周面の下端部から中央部を超えてランプピン挿入溝１７２が凹設されており、ランプピン挿入溝１７２の内部には導電板１７３が設けられている。ランプピン挿入溝１７２の幅は、ランプピン２３の外径よりも大きく、ランプピン２３が挿嵌可能となっている。
【００２２】
従って、蛍光ランプ２０の一対のランプピン２３を上下方向にランプピン挿入溝１７２に挿入し、操作部１７４を操作することにより、ランプピン２３が導電板１７３と導通するとともに、蓋を閉じてランプピン２３の脱落を防止する。
【００２３】
以上、説明したように本発明の実施形態にかかる照明器具１０によれば、両端に口金２２を有する平面らせん形の蛍光ランプ２０を用いることにより、同じ長さの発光管を有する環状の蛍光灯に比して蛍光ランプの小型化を図ることができる。また、略直方体のインバータ１６を覆うインバータケース１３の長手方向端部にランプソケット１７を配置することにより、インバータケース１３の小型化を図ることができ、照明器具１０の小型化を図ることができる。
【００２４】
また、ランプソケット１７をインバータケース１３の長手方向端部における角部に配置することにより、さらにインバータケース１３を小型化することができ、照明器具１０をさらに小型化することができる。
【００２５】
なお、本発明の照明器具は、前述した実施形態に限定されるものでなく、適宜な変形、改良等が可能である。
【図面の簡単な説明】
【００２６】
【図１】本発明の第１実施形態にかかる照明器具の斜視図
【図２】（ａ）は蛍光灯の平面図、（ｂ）は蛍光ランプの側面図
【図３】ランプソケットの斜視図
【図４】インバータの斜視図
【図５】従来の平面らせん形蛍光ランプを用いた照明器具を示す分解斜視図
【符号の説明】
【００２７】
１０  照明器具
１３  インバータケース
１６  インバータ
１７  ランプソケット
２０  蛍光ランプ
２１  発光管
２１１  管中央部
２２  口金
２３  ランプピン
【図１】
2010123537.tif 000003
【図２】
2010123537.tif 000004
【図３】
2010123537.tif 000005
【図４】
2010123537.tif 000006
【図５】
2010123537.tif 000007